(57)【要約】【課題】外壁体の全周の厚さを厚くせずに、外壁体の内面を収納に邪魔となる突出部分が存在しない平坦面に形成することができ、それだけ収納スペースを良好に確保することができ、かつ、外壁体の外面の凸状部は容器体の補強用リブとしても作用し、即ち、凸状部は収納スペースを減ずることなく、雌係合部を形成するための形成部材及び補強リブを兼用することになり、一層収納の融通性を高めることができる。【解決手段】合成樹脂製の容器体１の外壁体３に仕切板４を着脱機構５により着脱自在に配設してなり、着脱機構は相互に上下方向に摺動係合自在にして上記外壁体に形成された雌係合部６と該仕切板の側端面に形成された雄係合部７とからなり、上記外壁体の外面に上記雌係合部の形成位置に対応して上記雌係合部を形成するための上下方向に延びる凸条部８を形成してなる。【選択図】        図１
2004268978.tif 000002
【特許請求の範囲】
【請求項１】
合成樹脂製の容器体の外壁体に仕切板を着脱機構により着脱自在に配設してなり、該着脱機構は相互に上下方向に摺動係合自在にして上記外壁体に形成された雌係合部と該仕切板の側端面に形成された雄係合部とからなり、上記外壁体の外面に上記雌係合部の形成位置に対応して上記雌係合部を形成するための上下方向に延びる凸条部を形成してなることを特徴とする容器。
【請求項２】
上記雄係合部及び雌係合部を対向する外壁体間の対向距離の増加時に相互に鉤状に係止して該外壁体からの該仕切板の離脱を阻止可能な鉤状に形成してなることを特徴とする請求項１記載の容器。
【請求項３】
上記雄係合部は略Ｔ条状に形成され、上記雌係合部は略凹条状に形成されていることを特徴とする請求項１又は２記載の容器。
【請求項４】
上記雄係合部は略二段Ｔ条状に形成され、上記雌係合部は略二段凹条状に形成されていることを特徴とする請求項１又は２記載の容器。
【請求項５】
上記雄係合部は逆三角形状に形成され、上記雌係合部は逆ハ字状に形成されていることを特徴とする請求項１又は２記載の容器。
【請求項６】
上記雄係合部の端部に鉤状条部が形成され、上記雌係合部の端部に鉤状凹条部が形成されていることを特徴とする請求項１〜４のいずれか１項に記載の容器。
【発明の詳細な説明】
【０００１】
【発明の属する技術分野】
本発明は例えば釣り用具、建築用具、建築部品、機械部品等の小物類の収納や運搬に用いられる容器に関するものである。
【０００２】
【従来の技術】
【０００３】
【特許文献１】
特開平１１−３０１６４７号公報
【特許文献２】
特開２００１−２８７７４２号公報
【０００４】
従来、この種の容器として、合成樹脂製の容器体の外壁体に仕切板を着脱自在に配設し、この着脱機構を相互に上下方向に摺動係合自在にして外壁体に形成された雌係合部と仕切板の側端面に形成された雄係合部とにより形成し、容器体内の収納空間を複数個の仕切板の着脱により大小に区画変更可能に設け、各種小物類の大きさに対する収納の融通性をもたせた構造のものが知られている。
【０００５】
そして、上記雌係合部を形成するために、例えば、外壁体の板厚を厚く形成した構造のものや外壁体の内面に雌係合部の形成位置に対応して上記雌係合部を形成するための上下方向に延びる凸条部を形成した構造のものが知られている。
【０００６】
【発明が解決しようとする課題】
しかしながら上記従来構造の場合、前者の構造にあっては、外壁体の板厚を厚くすることにより、収納スペースが狭まることになり、又、後者の構造にあっても、外壁体の内面の凸状部の存在により凸状部が邪魔になって収納スペースが狭まることになるという不都合を有している。
【０００７】
【課題を解決するための手段】
本発明はこのような不都合を解決することを目的とするもので、本発明のうちで、請求項１記載の発明は、合成樹脂製の容器体の外壁体に仕切板を着脱機構により着脱自在に配設してなり、該着脱機構は相互に上下方向に摺動係合自在にして上記外壁体に形成された雌係合部と該仕切板の側端面に形成された雄係合部とからなり、上記外壁体の外面に上記雌係合部の形成位置に対応して上記雌係合部を形成するための上下方向に延びる凸条部を形成してなることを特徴とする容器にある。
【０００８】
又、請求項２記載の発明は、上記雄係合部及び雌係合部を上記外壁体間の対向距離の増加時に相互に鉤状に係止して該外壁体からの該仕切板の離脱を阻止可能な鉤状に形成してなることを特徴とするものであり、又、請求項３記載の発明は、上記雄係合部は略Ｔ条状に形成され、上記雌係合部は略凹条状に形成されていることを特徴とするものであり、又、請求項４記載の発明は、上記雄係合部は略二段Ｔ条状に形成され、上記雌係合部は略二段凹条状に形成されていることを特徴とするものであり、又、請求項５記載の発明は、上記雄係合部は逆三角形状に形成され、上記雌係合部は逆ハ字状に形成されていることを特徴とするものであり、又、請求項６記載の発明にあっては、上記雄係合部の端部に鉤状条部が形成され、上記雌係合部の端部に鉤状凹条部が形成されていることを特徴とするものである。
【０００９】
【発明の実施の形態】
図１乃至図１０は本発明の実施の形態例を示し、図１乃至図７は第一形態例、図８は第二形態例、図９は第三形態例、図１０は第四形態例である。
【００１０】
図１乃至図７の第一形態例において、１は容器体であって、合成樹脂により製作され、容器体１に合成樹脂製の蓋体２を着脱自在に被嵌し、この容器体１の対向する外壁体３・３間に五個の仕切板４・４・４・・・を着脱機構５により着脱自在に配設し、この着脱機構５として、相互に上下方向に摺動係合自在にして外壁体３・３にそれぞれ形成された雌係合部６・６と仕切板４の各側端面にそれぞれ形成された雄係合部７・７とを形成してなり、そして、上記外壁体３・３の外面に雌係合部６・６の形成位置に対応して雌係合部６・６を形成するための上下方向に延びる凸条部８を形成して構成している。
【００１１】
この場合、上記雄係合部７・７及び雌係合部６・６を上記外壁体間の対向距離の増加時に相互に鉤状に係止して外壁体３・３からの仕切板４の離脱を阻止可能な鉤状に形成され、この場合、雄係合部７・７は略Ｔ条状に形成され、雌係合部６・６は略凹条状に形成されている。
【００１２】
又、この場合、上記蓋体２の上面周縁部に環状段凹部２ａを形成し、凸状部８の底部に容器体１の底面部のレベルから離間する段部１ａを形成し、容器体１の開口外周縁部に周鍔部１ｂを形成し、かつ、仕切板４の両側端部に切除部４ａ・４ａを形成し、この段部１ａと環状段凹部２ａとにより容器体１の積み重ねを可能に構成している。
【００１３】
この実施の第一形態例は上記構成であるから、容器体１の対向する外壁体３・３間に仕切板４・４・４・・・を着脱機構５により着脱自在に配置し、この仕切板４を外壁体３から外したり、仕切板４を外壁体３に取り付けることにより収納空間Ｒを大小に変更することができ、収納の融通性を高めることができ、かつ、この着脱機構５として、相互に上下方向に摺動係合自在にして外壁体３・３にそれぞれ形成された雌係合部６・６と仕切板４の各側端面にそれぞれ形成された雄係合部７・７とを形成してなり、そして、上記外壁体３・３の外面に雌係合部６・６の形成位置に対応して雌係合部６・６を形成するための上下方向に延びる凸条部８を形成しているから、外壁体３の全周の厚さを厚くせずに、外壁体３の内面を収納に邪魔となる突出部分が存在しない平坦面に形成することができ、それだけ収納スペースを良好に確保することができ、かつ、外壁体３の外面の凸状部８は容器体１の補強用リブとしても作用し、即ち、凸状部８は収納スペースを減ずることなく、雌係合部６を形成するための形成部材及び補強リブを兼用することになり、一層収納の融通性を高めることになる。
【００１４】
又、この場合、上記雄係合部７及び雌係合部６を上記外壁体３・３間の対向距離Ｌの増加時に相互に鉤状に係止して外壁体３からの仕切板４の離脱を阻止可能な鉤状に形成しているから、収納した小物類の過大な重量や過大な大きさの小物類を無理に収納しょうとする開き力により外壁体３・３間の対向距離Ｌが増加し、この距離Ｌの増加により仕切板４が外壁体３から外れて取れようとしても、雌係合部６及び雄係合部７は互いに鉤状に係止し合い、外壁体３・３からの仕切板４の離脱を確実に阻止することができ、又、この場合、上記雄係合部７は略Ｔ条状に形成され、上記雌係合部６は略凹条状に形成されているから、外壁体３・３間の距離を増加させようとする開き力の方向以外の分力がもたらす略凹条状の雌係合部６の凹形状の口開き変形を阻止することができ、外壁体３・３からの仕切板４の離脱を一層確実に阻止することができる。
【００１５】
図８の第二形態例は別例構造であって、この場合、上記雄係合部７・７は略二段Ｔ条状に形成され、上記雌係合部６・６は略二段凹条状に形成されている。
【００１６】
この第二形態例にあっては、雄係合部７・７は略二段Ｔ条状に形成され、上記雌係合部６・６は略二段凹条状に形成されていることにより外壁体３・３からの仕切板４の離脱を一層確実に阻止することができる。
【００１７】
図９の第三形態例は別例構造であって、この場合、上記雄係合部７・７は逆三角形状に形成され、上記雌係合部６・６は逆ハ字状に形成されている。
【００１８】
この第三形態例にあっても、上記第一形態例と同様な作用効果を得ることができる。
【００１９】
図１０の第四形態例は別例構造であって、上記雄係合部７・７の端部に鉤状条部９が形成され、雌係合部６・６の端部に鉤状凹条部１０が形成されている。
【００２０】
この第四形態例にあっては、上記雄係合部７・７の端部に鉤状条部９が形成され、雌係合部６・６の端部に鉤状凹条部１０が形成されているから、上記略Ｔ条状の雄係合部７及び上記略凹条状の雌係合部６の係止作用に加えて鉤状条部９と鉤状凹条部１０とによる係止作用を得ることができ、この両係止作用により外壁体３・３からの仕切板４の離脱を一層確実に阻止することができる。
【００２１】
尚、本発明は上記実施の形態例に限られるものではなく、容器体１、外壁体３、仕切板４、雌係合部６及び雄係合部７の構造や収納空間形態や数や雌係合部６及び雄係合部７の鉤形状等は適宜変更して設計され、又、上記実施の形態例では、外壁体３・３間に仕切板４を着脱自在に係合する構造となっているが、容器体１に中壁体が形成され、この中壁体と外壁体３との間に仕切体３を配置する構造における外壁体と仕切板との着脱構造に適用することもできるものである。
【００２２】
【発明の効果】
本発明は上述の如く、請求項１記載の発明にあっては、仕切板を外壁体に取り付けることにより収納空間を大小に変更することができ、収納の融通性を高めることができ、かつ、この着脱機構として、相互に上下方向に摺動係合自在にして外壁体に形成された雌係合部と仕切板の側端面に形成された雄係合部とを形成してなり、そして、上記外壁体の外面に雌係合部の形成位置に対応して雌係合部を形成するための上下方向に延びる凸条部を形成しているから、外壁体の全周の厚さを厚くせずに、外壁体の内面を収納に邪魔となる突出部分が存在しない平坦面に形成することができ、それだけ収納スペースを良好に確保することができ、かつ、外壁体の外面の凸状部は容器体の補強用リブとしても作用し、即ち、凸状部は収納スペースを減ずることなく、雌係合部を形成するための形成部材及び補強リブを兼用することになり、一層収納の融通性を高めることができる。
【００２３】
又、請求項２記載の発明にあっては、上記雄係合部及び雌係合部を上記外壁体間の対向距離の増加時に相互に鉤状に係止して外壁体からの仕切板の離脱を阻止可能な鉤状に形成しているから、収納した小物類の過大な重量や過大な大きさの小物類を無理に収納しょうとする開き力により外壁体間の対向距離が増加し、この距離の増加により仕切板が外壁体から外れて取れようとしても、雌係合部及び雄係合部は互いに鉤状に係止し合い、外壁体からの仕切板の離脱を確実に阻止することができ、又、請求項３記載の発明にあっては、上記雄係合部は略Ｔ条状に形成され、上記雌係合部は略凹条状に形成されているから、外壁体間の距離を増加させようとする開き力の方向以外の分力がもたらす略凹条状の雌係合部の凹形状の口開き変形を阻止することができ、外壁体からの仕切板の離脱を一層確実に阻止することができる。
【００２４】
又、請求項４記載の発明にあっては、上記雄係合部は略二段Ｔ条状に形成され、上記雌係合部は略二段凹条状に形成されているから、外壁体からの仕切板の離脱を一層確実に阻止することができ、又、請求項５記載の発明にあっては、上記雄係合部は逆三角形状に形成され、上記雌係合部は逆ハ字状に形成されているから、外壁体からの仕切板の離脱を確実に阻止することができ、又、請求項６記載の発明にあっては、上記雄係合部の端部に鉤状条部が形成され、雌係合部の端部に鉤状凹条部が形成されているから、上記雄係合部及び上記雌係合部の係止作用に加えて鉤状条部と鉤状凹条部とによる係止作用を得ることができ、この両係止作用により外壁体からの仕切板の離脱を一層確実に阻止することができる。
【００２５】
以上の如く、所期の目的を充分達成することができる。
【図面の簡単な説明】
【図１】本発明の実施の第一形態例の全体分離斜視図である。
【図２】本発明の実施の第一形態例の容器体の平面図である。
【図３】本発明の実施の第一形態例の積み重ね状態の縦断面図である。
【図４】本発明の実施の第一形態例の部分縦断面図である。
【図５】本発明の実施の第一形態例の部分分離斜視図である。
【図６】本発明の実施の第一形態例の部分斜視図である。
【図７】本発明の実施の第一形態例の部分平断面図である。
【図８】本発明の実施の第二形態例の部分平断面図である。
【図９】本発明の実施の第三形態例の部分平断面図である。
【図１０】本発明の実施の第四形態例の部分平断面図である。
【符号の説明】
Ｌ  対向距離
１  容器体
３  外壁体
４  仕切板
５  着脱機構
６  雌係合部
７  雄係合部
８  凸状部
９  鉤条状部
１０  鉤条凹状部
【図１】
2004268978.tif 000003
【図２】
2004268978.tif 000004
【図３】
2004268978.tif 000005
【図４】
2004268978.tif 000006
【図５】
2004268978.tif 000007
【図６】
2004268978.tif 000008
【図７】
2004268978.tif 000009
【図８】
2004268978.tif 000010
【図９】
2004268978.tif 000011
【図１０】
2004268978.tif 000012